(57)【要約】【課題】保守の利便性を向上させることができる照明システムを提供する。【解決手段】実施形態に係る照明システムは、照明機器と、操作端末とを有する。照明機器は、機器情報を記憶する。操作端末は、収集部と、認証部とを具備する。収集部は、照明機器から機器情報を収集する。認証部は、収集された機器情報を所定のサーバ装置に送信する。【選択図】図２
2018200801.tif 000002
【特許請求の範囲】
【請求項１】
機器情報を記憶する照明機器と、操作端末とを有する照明システムであって、
前記操作端末は、
前記照明機器から前記機器情報を収集する収集部と;
収集された前記機器情報を所定のサーバ装置に送信するための認証を行う認証部と；
を具備することを特徴とする照明システム。
【請求項２】
前記操作端末は、前記照明機器が保持する複数の情報から送信対象となる前記機器情報を選択可能に表示部に表示することを特徴とする請求項１に記載の照明システム。
【請求項３】
前記操作端末は、
前記所定のサーバ装置から前記機器情報を取得する取得部と;
取得した前記機器情報を表示部に表示するための認証を行う認証部と；
をさらに具備することを特徴とする請求項１または２に記載の照明システム。
【請求項４】
前記操作端末は、所定の条件に基づいて前記照明機器の制御情報を前記サーバ装置に送信することを特徴とする請求項１〜３のいずれか１つに記載の照明システム。
【請求項５】
前記機器情報は、前記照明機器を識別するＵＩＤを具備することを特徴とする請求項１〜４のいずれか１つに記載の照明システム。
【発明の詳細な説明】
【技術分野】
【０００１】
本発明の実施形態は、照明システムに関する。
【背景技術】
【０００２】
従来、スタジオや舞台等では、複数の照明機器により照明演出がなされている。このような照明演出を行う照明システムでは、例えばＵＩＤ（Unique  Identifier）や接続先、接続状態、使用時間、または点灯時間等、照明機器に関する各種情報や、照明機器の制御や使用状況に関する各種情報が保持される。
【先行技術文献】
【特許文献】
【０００３】
【特許文献１】特開２０１４−２１６３０３号公報
【発明の概要】
【発明が解決しようとする課題】
【０００４】
また、上述した照明システムにアクセス可能な外部端末（支援端末）が照明機器に関する情報を取得し、照明機器の保守を遠隔で支援する技術が検討されている。
【０００５】
しかしながら、照明システムが保持する各種情報には、ユーザがデータ送信を望まない情報や、照明機器の保守には不要な情報が含まれている場合があり、利便性に乏しい。
【０００６】
本発明が解決しようとする課題は、保守の利便性を向上させることができる照明システムを提供することである。
【課題を解決するための手段】
【０００７】
実施形態に係る照明システムは、照明機器と、操作端末とを有する。照明機器は、機器情報を記憶する。前記操作端末は、収集部と認証部とを具備する。収集部は、前記照明機器から前記機器情報を収集する。認証部は、収集された前記機器情報を所定のサーバ装置に送信するための認証を行う。
【発明の効果】
【０００８】
本発明によれば、保守の利便性を向上させることができる照明システムを提供することができる。
【図面の簡単な説明】
【０００９】
【図１】図１は、実施形態に係る照明システムの構成の一例を示すブロック図である。
【図２】図２は、実施形態に係る照明機器の機構構成の一例を示すブロック図である。
【図３】図３は、照明機器情報管理テーブルの一例を示す図である。
【図４】図４は、実施形態に係る操作端末の構成の一例を示すブロック図である。
【図５】図５は、認証テーブルの一例を示す図である。
【図６】図６は、実施形態に係る照明システムによる機器情報送信処理の手順を示すフローチャートである。
【図７】図７は、実施形態に係る照明システムによる機器情報表示処理の手順を示すフローチャートである。
【発明を実施するための形態】
【００１０】
以下に説明する実施形態に係る照明システム１は、機器情報を記憶する照明機器１０（１０−１〜１０−ｎ）と、操作端末５０とを有する。操作端末５０は、収集部５５−１と認証部５５−４とを具備する。収集部５５−１は、照明機器１０（１０−１〜１０−ｎ）から機器情報を収集する。認証部５５−４は、収集された機器情報を所定のサーバ装置７０に送信するための認証を行う。
【００１１】
また、以下に説明する実施形態に係る操作端末５０は、照明機器１０（１０−１〜１０−ｎ）が保持する複数の情報１７Ａから送信対象となる機器情報を選択可能に表示部５３に表示する。
【００１２】
また、以下に説明する実施形態に係る操作端末５０は、取得部５５−１と認証部５５−４とを具備する。取得部５５−１は、所定のサーバ装置７０から機器情報を取得する。認証部５５−４は、取得した機器情報を表示部５３に表示するための認証を行う。
【００１３】
また、以下に説明する実施形態に係る操作端末５０は、所定の条件に基づいて照明機器１０（１０−１〜１０−ｎ）の制御情報５２−１をサーバ装置７０に送信する。
【００１４】
また、以下に説明する実施形態に係る機器情報は、照明機器１０（１０−１〜１０−ｎ）を識別するＵＩＤを具備する。
【００１５】
（実施形態）
図１〜図７を用いて、実施形態に係る照明システム１について説明する。
【００１６】
［実施形態に係る照明システムの構成］
図１は、実施形態に係る照明システム１の構成の一例を示すブロック図である。実施形態に係る照明システム１は、複数の照明機器１０−１〜１０−ｎ、複数のバトン装置２０−１〜２０−ｎ、ハブ３０、ノード４０−１〜４０−ｎ、操作端末５０、サーバ装置７０、支援端末９０、分電盤１００を有する。なお、照明システム１に接続される分電盤１００、照明機器１０、バトン装置２０−１〜２０−ｎおよびノード４０−１〜４０−ｎの種別や数、ならびに操作端末５０、サーバ装置７０および支援端末９０の数などは任意に設定できる。また、照明機器１０−１〜１０−ｎについて特に区別なく説明する場合には、照明機器１０と記載する。同様に、バトン装置２０−１〜２０−ｎ、ノード４０−１〜４０−ｎについても、特に区別なく説明する場合には、それぞれバトン装置２０、ノード４０と記載する。
【００１７】
照明システム１において、照明機器１０は、ＤＭＸ規格を拡張したＲＤＭ（Remote  Device  Management）規格に沿った通信方式により、バトン装置２０や操作端末５０、支援端末９０と双方向通信が可能であり、バトン装置２０に接続される。また、照明機器１０は、ＬＥＤ（Light  Emitting  Diodes）等の半導体発光素子を有し、制御信号に従って、明るさ、範囲、色彩等を変化させることで、スタジオや舞台等の照明演出を行う。また、照明機器１０は、照明機器１０に電力を伝達する回路６０−１〜６０−ｎを介して分電盤１００に接続される。これにより、照明機器１０は、分電盤１００から電力が供給される。
【００１８】
バトン装置２０−１〜２０−ｎは、スタジオや舞台等の任意の空間に設置された、照明機器１０−１〜１０−ｎを吊り下げ可能な装置である。バトン装置２０は、イーサネット（登録商標）等の有線または無線によるネットワークによって、双方向通信が可能な態様でハブ３０と接続される。以下の説明では、バトン装置２０−２〜２０−ｎにもバトン装置２０−１と同様に照明機器１０−２〜１０−ｎが吊り下げられているものとして、説明を省略する。
【００１９】
ノード４０−１〜４０−ｎは、それぞれバトン装置２０−１〜２０−ｎとハブ３０とに接続されており、バトン装置２０−１〜２０−ｎとハブ３０との間の通信を中継する。なお、各ノード４０−１〜４０−ｎは、それぞれバトン装置２０−１〜２０−ｎ内に配置されていてもよいし、バトン装置２０−１〜２０−ｎの外側に配置されていてもよい。
【００２０】
ハブ３０は、イーサネット（登録商標）等の有線または無線によるネットワークによって、操作端末５０と双方向通信が可能な態様で接続され、操作端末５０と各バトン装置２０との通信を中継する中継器である。また、ハブ３０は、分電盤１００と双方向通信が可能な態様で接続され、操作端末５０と分電盤１００との間の通信を中継する。
【００２１】
操作端末５０は、３Ｇ（Generation）またはＬＴＥ（Long  Term  Evolution）等の無線または有線によるネットワークによって、サーバ装置７０と双方向通信が可能な態様で接続される。
【００２２】
操作端末５０は、各照明機器１０に対して制御を行う利用者から送信認証を受け付ける。操作端末５０は、送信認証を受け付けたことを契機として、照明機器１０から収集した機器情報をサーバ装置７０に送信する。
【００２３】
また、操作端末５０は、照明システム１の保守を行う保守者から表示認証を受け付ける。操作端末５０は、表示認証を受け付けたことを契機として、サーバ装置７０から取得した機器情報を表示する。
【００２４】
また、操作端末５０は、利用者から照明機器１０に対する操作指令を受け付ける。操作端末５０は、受け付けた操作指令に基づき、各照明機器１０に付与された制御アドレスを含む照明機器１０の制御情報を生成し、ハブ３０を介してバトン装置２０に送信する。そして、バトン装置２０は、操作端末５０から照明機器１０の制御情報を受信した場合に、照明機器１０の制御情報をＲＤＭ規格に沿った制御信号（例えば、調光信号等）に変換し、制御アドレスが示す照明機器１０に対して制御信号を出力することで、照明機器１０の制御を行う。また、操作端末５０は、上記した照明機器１０の制御情報を保持する。また、操作端末５０には、各照明機器１０における通電積算時間（寿命情報）などの情報が保持される。
【００２５】
また、操作端末５０は、所定の条件に基づいて照明機器１０の制御情報をサーバ装置７０に送信する。具体的には、例えば照明機器１０の制御情報を操作端末５０が保持できない場合、操作端末５０は、バックアップ用として照明機器１０の制御情報をサーバ装置７０に送信する。サーバ装置７０に送信された照明機器１０の制御情報は、操作端末５０からの操作指令に基づき、照明機器１０に送信される。
【００２６】
また、操作端末５０は、所定の条件に基づいて照明機器１０の機器情報を変更する。具体的には、例えば照明機器１０を動作させるソフトウェアの現在のバージョンが適切でないと判断された場合、操作端末５０は、保守者の入力操作に応じて上記したソフトウェアのアップデートまたはダウングレードを実行する。
【００２７】
操作端末５０は、例えば、スマートフォンやタブレット端末等の移動端末、ノート型やデスクトップ型等の固定端末である。なお、操作端末５０は、例えば、調光卓または操作卓と称される照明機器１０の制御を主目的とした装置であってもよい。また、操作端末５０は、複数の装置間での通信により上記した機能を協働して実現するものであってもよい。
【００２８】
サーバ装置７０は、照明機器１０の導入先から遠隔にある所定の地点に設けられる外部サーバまたはクラウドサーバである。具体的には、サーバ装置７０は、操作端末５０が収集した照明機器１０の機器情報を保有する。また、サーバ装置７０は、操作端末５０を介して送信された照明機器１０の制御情報を記憶する。なお、サーバ装置７０は、操作端末５０から新たに機器情報または制御情報を取得する都度、最新の情報に更新してもよく、また、操作端末５０から所定期間内に取得した機器情報または制御情報の更新履歴を、最新の機器情報または制御情報とともに保有するようにしてもよい。サーバ装置７０に保有された機器情報は、利用者の許可を得ることなく保守者または支援者が取得することができるため、例えば照明機器１０の寿命予測や照明機器１０の交換または配置替えの提案など、保守の利便性を向上させることができる。
【００２９】
支援端末９０は、３ＧまたはＬＴＥ等の無線または有線によるネットワークによって、サーバ装置７０と双方向通信が可能な態様で接続される。支援端末９０は、照明システム１の保守を支援する支援者から表示認証を受け付ける。また、支援端末９０は、表示認証を受け付けたことを契機として、サーバ装置７０が保有する照明機器１０の機器情報を表示する。なお、支援端末９０における表示認証は、操作端末５０における表示認証と同様であるため、詳細な説明は省略する。
【００３０】
支援端末９０は、例えば、スマートフォンやタブレット端末等の移動端末、ノート型やデスクトップ型等の固定端末である。
【００３１】
分電盤１００は、照明機器１０に電力を伝達する複数の回路６０−１〜６０−ｎを有し、回路６０−１〜６０−ｎに接続された各照明機器１０−１〜１０−ｎに電力を供給する。例えば、分電盤１００は、入力電圧、入力電流、漏電など電源に関する機能や、出力電流、漏電など負荷に関する機能、温度など盤内の状態に関する機能、主幹ブレーカや回路ブレーカの開閉に関する機能、各種情報の表示や操作を受け付ける機能などを有する。
【００３２】
［実施形態に係る照明機器の構成］
続いて、図２を用いて、実施形態に係る照明機器１０−１の構成の一例を説明する。図２は、実施形態に係る照明機器１０−１の構成の一例を示すブロック図である。なお、以下の説明では、照明機器１０−２〜１０−ｎは、照明機器１０−１と同様の構成および機能を発揮するものとして、説明を省略する。
【００３３】
実施形態に係る照明機器１０−１は、パネル基板１１と、光源部１２と、電源制御基板１３と、調光制御基板１４とを有する。基板１１、１３、１４および光源部１２には、分電盤１００から電力が供給される。
【００３４】
パネル基板１１は、例えば、７セグメントの表示部(不図示)を有し、操作ボタン（不図示）による照明機器１０−１の操作信号を受け付ける。パネル基板１１は、調光制御基板１４を介して分電盤１００から電力が供給される。
【００３５】
光源部１２は、照明機器１０−１が有する光源であり、操作端末５０からの制御情報に基づいたＰＷＭ（Pulse  Width  Modulation）信号に従って照度、照明する範囲、色彩等を制御可能なＬＥＤ等の半導体発光素子により実現される。光源部１２は、複数の原色光源を備えている。具体的には、光源部１２は、赤色、緑色、青色の原色光源を備えている。また、光源部１２は、各原色光源は、５０段階の調光レベルで点灯することができる。なお、光源部１２の調光レベルは、５０段階に限られず、任意の複数段階（例えば、１バイトの信号であれば２５５段階）に設定することができる。光源部１２は、調光制御基板１４および電源制御基板１３を介して分電盤１００から電力が供給される。
【００３６】
電源制御基板１３は、原色光源毎に複数設けられる。例えば、Ｒ（Red）用の電源制御基板１３と、Ｇ（Green）用の電源制御基板１３と、Ｂ（Blue）用の電源制御基板１３と、Ｗ（White）用の電源制御基板１３が設けられる。電源制御基板１３は、制御部１５を有する。
【００３７】
制御部１５は、原色光源の点灯処理を実行する演算装置であり、例えば、ＣＰＵ（Central  Processing  Unit）、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路を採用できる。制御部１５は、原色光源の処理手順を規定したプログラムや制御データを格納するための内部メモリを有し、これらによって原色光源の点灯処理を実行する。
【００３８】
制御部１５は、調光制御基板１４から出力されるＰＷＭ信号に基づいて原色光源の照度や、色彩等を制御し、１０段階の調光レベルで原色光源を点灯させることができる。電源制御基板１３は、調光制御基板１４を介して分電盤１００から電力が供給される。
【００３９】
調光制御基板１４は、通信部１６と、記憶部１７と、制御部１８とを有する。通信部１６は、照明機器１０−１と操作端末５０との間の通信を制御する通信装置であり、例えば、ＮＩＣ（Network  Interface  Card）等により実現される。調光制御基板１４は、分電盤１００から電力が供給されると、パネル基板１１、電源制御基板１３および光源部１２に電力を供給する。すなわち、調光制御基板１４に電力が供給されると、パネル基板１１、電源制御基板１３および光源部１２にも電力が供給され、通電状態となる。一方、調光制御基板１４に電力が供給されなくなると、パネル基板１１、電源制御基板１３および光源部１２にも電力が供給されなくなり、非通電状態となる。なお、光源部１２の点灯および調光レベルなどは、制御信号に基づいて制御される。
【００４０】
記憶部１７は、照明機器１０−１が有する不揮発性のメモリであり、ＨＤＤ（Hard  Disk  Drive）、ＳＳＤ（Solid  State  Drive）、フラッシュメモリ、ＲＡＭ（Random  Access  Memory）等の記憶装置により実現される。記憶部１７は、照明機器１０−１の基板１１、１３、１４における通電時間の積算時間である通電積算時間および各原色光源における調光レベル別の点灯時間の積算時間である点灯積算時間を記憶する。また、記憶部１７には、照明機器情報管理テーブル１７Ａが登録される。
【００４１】
図３は、照明機器情報管理テーブルの一例を示す図である。照明機器情報管理テーブル１７Ａは、照明機器１０−１に関する情報を管理するテーブルである。図３に示す例では、照明機器情報管理テーブル１７Ａは、製造会社名、機器型番、ＵＩＤ、ユニバース、ＤＭＸアドレス、点灯時間、通電時間、質量、パーソナリティー設定といった情報を含む。
【００４２】
ここで、製造会社名とは、照明機器１０−１の製造会社名であり、例えば「ＡＡＡ  Ｃｏ．」といった情報である。機器型番とは、照明機器１０−１の型番であり、例えば「ＬＥＤ−０１」といった情報である。ＵＩＤは、ＤＭＸ規格で用いられる装置ごとに一意の番号であり、例えば「ＢＢＢ・・・」等、１２桁の１６進数で表される情報である。
【００４３】
また、ユニバースとは、ＤＭＸのデータリンクを識別する情報であり、例えば「１」といった値が設定される。また、ＤＭＸアドレスとは、ＤＭＸのデータリンク上におけるアドレスであり、例えば「１」といった値が設定される。また、点灯時間とは、照明機器１０−１が有する光源を点灯させた時間を示す情報であり、例えば「８１ｈ（Hour）」といった値である。また、通電時間とは、照明機器１０−１に電力が供給された時間を示す情報であり、例えば「９８ｈ」といった値である。また、質量とは、照明機器１０−１の質量を示す情報であり、例えば「１０．７ｋｇ（キログラム）」といった情報である。また、パーソナリティー設定とは、照明機器１０−１の動作のモードを示す情報であり、例えば「１」といった値が設定される。なお、照明機器情報管理テーブル１７Ａに含まれる情報は、図３に例示したものに限られない。例えば、照明機器情報管理テーブル１７Ａは、照明機器１０−１が設置される位置や接続状態に関する情報や、ソフトウェアのバージョン等を含んでもよい。また、照明機器情報管理テーブル１７Ａは、図３に例示した情報のうち、いくつかの情報を含まなくてもよい。
【００４４】
図２に戻り、説明を続ける。制御部１８は、各種の情報処理を実行する演算装置であり、例えば、ＣＰＵ、ＭＰＵ等の電子回路や、ＡＳＩＣ、ＦＰＧＡ等の集積回路を採用できる。制御部１８は、各種の処理手順を規定したプログラムや制御データを格納するための内部メモリを有し、これらによって種々の処理を実行する。制御部１８は、照明制御部１８Ａと、計測部１８Ｂと、積算部１８Ｃとを有する。
【００４５】
照明制御部１８Ａは、通信部１６を介して受信した制御信号をＰＷＭ信号に変換し、変換後のＰＷＭ信号を電源制御基板１３の制御部１５に出力する。
【００４６】
計測部１８Ｂは、分電盤１００から基板１１、１３、１４に電力が供給されている時間、すなわち基板１１、１３、１４の通電時間を計測する。また、計測部１８Ｂは、各原色光源における調光レベル別の点灯時間を計測する。すなわち、計測部１８Ｂは、複数の電源制御基板１３毎に調光レベル別の点灯時間を計測する。
【００４７】
また、積算部１８Ｃは、計測部１８Ｂによって計測された点灯時間を積算して各色の調光レベル毎に点灯積算時間を算出する。すなわち、積算部１８Ｃは、複数の電源制御基板１３毎に調光レベル別の点灯積算時間を算出する。積算部１８Ｃは、記憶部１７に記憶されている各点灯積算時間に計測部１８Ｂによって計測された点灯時間を積算することで、各点灯積算時間を更新する。積算部１８Ｃは、更新した点灯積算時間を記憶部１７に記憶させる。なお、積算部１８Ｃは、予め設定された所定周期で点灯積算時間を更新してもよい。
【００４８】
積算部１８Ｃは、基板１１、１３のいずれかが交換され、交換された基板１１、１３に対するリセット信号が操作端末５０から出力され、通信部１６によってリセット信号が受信された場合に、交換された基板１１、１３の通電積算時間をリセット信号に応じてリセットする。具体的には、積算部１８Ｃは、交換された基板１１、１３の通電積算時間をゼロにする。積算部１８Ｃは、例えば、パネル基板１１が交換され、パネル基板１１の通電積算時間をリセットする旨のリセット信号が受信された場合に、パネル基板１１の通電積算時間をゼロにする。
【００４９】
また、積算部１８Ｃは、例えば、Ｒ用の電源制御基板１３が交換され、Ｒ用の電源制御基板１３の通電積算時間および点灯積算時間をリセットする旨のリセット信号が受信された場合に、Ｒ用の電源制御基板１３の通電積算時間および点灯積算時間をゼロにする。
【００５０】
なお、調光制御基板１４が交換された場合には、操作端末５０からの制御情報に基づいてパネル基板１１の通電積算時間、電源制御基板１３の通電積算時間および点灯積算時間が記憶部１７に記憶される。その際、積算部１８Ｃは、調光制御基板１４の通電積算時間をリセットする旨のリセット信号が受信された場合に、調光制御基板１４の通電積算時間をゼロにする。また、調光制御基板１４の通電積算時間は、操作端末５０からの制御情報に基づいてパネル基板１１の通電積算時間などが記憶部１７に記憶される際に、リセットされてもよい。
【００５１】
［実施形態に係る操作端末の構成］
次に、図４を用いて、実施形態に係る操作端末５０の構成の一例を説明する。図４は、実施形態に係る操作端末５０の構成の一例を示すブロック図である。図４に示すように、操作端末５０は、通信部５１と、記憶部５２と、表示部５３と、操作部５４と、制御部５５とを有する。
【００５２】
通信部５１は、照明機器１０やノード４０やサーバ装置７０等との間の通信を制御する機能を有し、例えば、ＮＩＣ等により実現される。
【００５３】
記憶部５２は、例えば、ＲＡＭ、フラッシュメモリ等の半導体メモリ素子、または、ＨＤＤ、光ディスク等の記憶装置によって実現される。実施形態に係る記憶部５２は、図４に示すように、制御情報５２−１と、認証テーブル５２−２とを記憶する。
【００５４】
制御情報５２−１は、各照明機器１０を制御するための情報であり、例えば、調光制御や操作部５４が有する複数のフェーダ（不図示）の操作に関する情報を含む。具体的には、制御情報５２−１は、例えばフェーダやサブマスタ（ＳＭ）等のレベル値、照度や色彩等を照明機器１０ごとに対応付けた情報や各種シーンの情報を含む。
【００５５】
認証テーブル５２−２は、認証を行うための認証情報である。図５は、認証テーブルの一例を示す図である。図５に示す例では、認証テーブル５２−２は、送信用認証テーブル５２−２Ａと、表示用認証テーブル５２−２Ｂとを含む。送信用認証テーブル５２−２Ａには、「送信用認証ＩＤ」および「送信用認証ＰＷ（PassWord）」が登録されている。表示用認証テーブル５２−２Ｂには、「表示用認証ＩＤ」および「表示用認証ＰＷ」が登録されている。
【００５６】
図４に戻り、説明を続ける。表示部５３は、例えば、液晶モニタ等により実現され、各種情報を表示する。表示部５３は、後述する制御部５５による制御に従い、操作端末５０が取得した情報を表示する。表示部５３は、例えば、利用者に対し、送信認証のための認証ＩＤおよび認証ＰＷの入力を促す画面を表示する。また、表示部５３は、例えば、後述する認証部５５−４が受け付けた送信認証に基づき、照明機器１０が保持する照明機器情報管理テーブル１７Ａに含まれる項目の中から、サーバ装置７０への送信を利用者が許可する項目を機器情報として選択可能に表示する。このため、利用者は、照明機器情報管理テーブル１７Ａに含まれる項目の中からサーバ装置７０への送信を利用者が許可する項目と許可しない項目とを任意に選択することができる。
【００５７】
また、表示部５３は、例えば、保守者に対し、表示認証のための認証ＩＤおよび認証ＰＷの入力を促す画面を表示する。また、表示部５３は、例えば、後述する認証部５５−４が受け付けた表示認証に基づき、サーバ装置７０に保存された機器情報を表示する。このため、保守者は、表示部５３に表示された機器情報に基づいて照明機器１０の使用状況等を把握することができる。すなわち、実施形態に係る照明システム１によれば、保守の利便性が向上させることができる。
【００５８】
操作部５４は、利用者または保守者による認証操作を受け付ける入力装置である。操作部５４は、例えば、キーボードまたはマウスを有する。また、操作部５４は、各照明機器１０に対する操作を受け付ける。操作部５４は、例えば、複数のフェーダ等を有する。各フェーダ等は、例えば各照明機器１０の照度、色彩、照明する向き、動き等の操作を受け付けるスライダである。なお、操作部５４はタッチパネル等を利用して構成することもできる。また、操作部５４は、各調光情報を対応付けるボタンやスイッチ等を有してもよい。
【００５９】
制御部５５は、各種の処理手順などを規定したプログラム及び所要データを記憶するための内部メモリを有し、これらによって種々の処理を実行するが、特に本発明に密接に関連するものとしては、受信部５５−１、送信部５５−２、操作制御部５５−３および認証部５５−４を有する。
【００６０】
受信部５５−１は、外部からの各種情報を受信する。受信部５５−１は、例えば、照明機器１０から機器情報を収集する。すなわち、受信部５５−１は、収集部の一例である。ここでいう「機器情報」とは、照明機器１０が有する照明機器情報管理テーブル１７Ａに含まれる各種情報のうち、後述する送信認証の一環として利用者がサーバ装置７０への送信を許可したものをいう。
【００６１】
また、受信部５５−１は、例えば、認証部５５−４での表示認証に関する判定結果に基づき、サーバ装置７０に送信され、記憶された機器情報を取得する。すなわち、受信部５５−１は、取得部の一例である。
【００６２】
送信部５５−２は、各種情報を送信する。送信部５５−２は、例えば、認証部５５−４が受け付けた送信認証に基づき、照明機器１０から収集された機器情報をサーバ装置７０に送信する。また、送信部５５−２は、例えば、制御情報５２−１を照明機器１０に送信する。
【００６３】
また、操作制御部５５−３は、利用者が操作部５４のフェーダ等を操作した場合、操作されたフェーダ等に対応する制御アドレスを含む制御情報５２−１を出力することで、操作されたフェーダ等と対応する照明機器１０の制御を行う。
【００６４】
認証部５５−４は、操作部５４が送信認証のための認証ＩＤおよび認証ＰＷの入力を受け付けた場合、入力された認証ＩＤおよび認証ＰＷを送信用認証テーブル５２−２Ａの送信用認証ＩＤおよび送信用認証ＰＷとそれぞれ照合する。そして、認証部５５−４は、入力された認証ＩＤおよび認証ＰＷが送信用認証ＩＤおよび送信用認証ＰＷとそれぞれ一致した場合、送信認証が正常に行われたと判定し、送信認証を受け付ける。
【００６５】
また、認証部５５−４は、操作部５４が表示認証のための認証ＩＤおよび認証ＰＷの入力を受け付けた場合、入力された認証ＩＤおよび認証ＰＷを表示用認証テーブル５２−２Ｂの表示用認証ＩＤおよび表示用認証ＰＷとそれぞれ照合する。そして、認証部５５−４は、入力された認証ＩＤおよび認証ＰＷが表示用認証ＩＤおよび表示用認証ＰＷとそれぞれ一致した場合、表示認証が正常に行われたと判定し、表示認証を受け付ける。
【００６６】
［機器情報送信処理の手順］
続いて、図６を用いて、実施形態に係る照明システム１による機器情報送信処理を説明する。図６は、実施形態に係る照明システムによる機器情報送信処理の手順を示すフローチャートである。
【００６７】
認証部５５−４は、操作部５４が入力を受け付けた認証ＩＤおよび認証ＰＷに基づき、利用者の送信認証を行う（ステップＳ１０１）。送信認証が正常に行われなかった場合（ステップＳ１０２；Ｎｏ）、認証部５５−４は、送信認証を受け付けずに、処理を終了する。
【００６８】
一方、送信認証が正常に行われた場合（ステップＳ１０２；Ｙｅｓ）、認証部５５−４は、送信認証を受け付ける（ステップＳ１０３）。そして、操作部５４は、送信を許可する機器情報の選択を受け付ける（ステップＳ１０４）。例えば、操作部５４は、表示部５３に表示された照明機器情報管理テーブル１７Ａに含まれる項目から１または２以上の項目を機器情報として選択を受け付ける。そして、送信部５５−２は、送信を許可された機器情報をサーバ装置７０に送信する（ステップＳ１０５）。
【００６９】
［機器情報表示処理の手順］
続いて、図７を用いて、実施形態に係る照明システム１による機器情報表示処理を説明する。図７は、実施形態に係る照明システムによる機器情報表示処理の手順を示すフローチャートである。
【００７０】
認証部５５−４は、操作部５４が入力を受け付けた認証ＩＤおよび認証ＰＷに基づき、保守者の表示認証を行う（ステップＳ２０１）。表示認証が正常に行われなかった場合（ステップＳ２０２；Ｎｏ）、認証部５５−４は、表示認証を受け付けずに、処理を終了する。
【００７１】
一方、表示認証が正常に行われた場合（ステップＳ２０２；Ｙｅｓ）、認証部５５−４は、表示認証を受け付ける（ステップＳ２０３）。そして、表示部５３は、サーバ装置７０に保存された機器情報を表示する（ステップＳ２０４）。
【００７２】
［実施形態の効果］
上述してきたように、実施形態に係る照明システム１は、機器情報を記憶する照明機器１０（１０−１〜１０−ｎ）と、操作端末５０とを有する。操作端末５０は、収集部５５−１と認証部５５−４とを具備する。収集部５５−１は、照明機器１０（１０−１〜１０−ｎ）から機器情報を収集する。認証部５５−４は、収集された機器情報を所定のサーバ装置７０に送信するための認証を行うことで利用者が認証した機器情報がサーバ装置７０に送信される。このため、実施形態に係る照明システム１によれば、例えば照明機器１０（１０−１〜１０−ｎ）の交換や配置替えの提案など、保守者や支援者などの第三者による保守の利便性を向上させることができる。
【００７３】
また、実施形態に係る操作端末５０は、照明機器１０（１０−１〜１０−ｎ）が保持する複数の情報１７Ａから送信対象となる機器情報を選択可能に表示部５３に表示する。すなわち、利用者が選択した機器情報のみがサーバ装置７０に送信され、利用者がデータ送信を望まない情報はサーバ装置７０に送信されない。このため、実施形態に係る照明システム１によれば、照明機器１０（１０−１〜１０−ｎ）が保持する情報が外部で利用されることを容認しない利用者の意向に配慮しつつ、保守の利便性を向上させることができる。
【００７４】
また、実施形態に係る操作端末５０は、取得部５５−１と認証部５５−４とを具備する。取得部５５−１は、所定のサーバ装置７０から機器情報を取得する。認証部５５−４は、取得した機器情報を表示部５３に表示するための認証を行う。このため、実施形態に係る照明システム１によれば、現地に赴いた保守者による保守の利便性を向上させることができる。
【００７５】
また、実施形態に係る操作端末５０は、所定の条件に基づいて照明機器１０（１０−１〜１０−ｎ）の制御情報５２−１をサーバ装置７０に送信する。このため、実施形態に係る照明システム１によれば、例えば記憶容量不足など操作端末５０に不具合が生じた場合における制御情報５２−１のバックアップ処理を行うことができる。
【００７６】
また、実施形態に係る機器情報は、照明機器１０（１０−１〜１０−ｎ）を識別するＵＩＤを具備する。ＵＩＤは、保守者および支援者が所持する情報と照合することで、例えば製造会社名や機器型番、質量など照明機器情報管理テーブル１７Ａに含まれるいくつかの項目については紐づけられる場合がある。このため、実施形態に係る照明システム１によれば、保守の利便性を向上させることができる。
【００７７】
［変形例］
上記実施形態に係る照明システム１では、照明機器１０はＲＤＭ規格に対応する機器として説明したが、ＲＤＭ規格に非対応の機器（例えば、ＤＭＸ規格に対応の機器やハロゲンランプ）を含んでもよい。
【００７８】
また、上記実施形態において、照明機器１０は内部温度を測定するための温度センサを備えてもよい。照明機器１０の内部温度が照明機器情報管理テーブル１７Ａおよび機器情報に含まれると、内部温度に基づいて照明機器１０の交換時期または寿命を予測することができる。このため、保守者または支援者は、例えば、利用者に対する照明機器１０の交換の提案を適切なタイミングで行うことができる。
【００７９】
また、上記実施形態において、利用者は送信認証処理を実行する都度サーバ装置７０への送信を許可する機器情報を選択する例について示したが、これに限らない。例えば、送信を許可する機器情報を予め操作端末５０に登録しておき、送信認証の都度、登録された機器情報をサーバ装置７０へ送信することとしてもよく、また、照明機器情報管理テーブル１７Ａに含まれる項目をすべて機器情報としてサーバ装置７０へ送信してもよい。
【００８０】
また、上記実施形態において、送信認証または表示認証は認証テーブル５２−２に記憶された認証ＩＤおよび認証ＰＷに基づいて受け付ける例について示したが、認証の方法はこれに限らない。例えば、利用者や保守者の指紋データや声紋データ等といった生体データに基づく認証であってもよく、また、利用者および保守者に対してそれぞれ付与された非接触型のＩＣ（Integrated  Circuit）カードに登録されている送信認証用または表示認証用の情報に基づく認証であってもよい。かかる場合、記憶部５２には認証テーブル５２−２に代えて認証の方法に応じた認証用情報が記憶される。
【００８１】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００８２】
１  照明システム
１０（１０−１〜１０−ｎ）  照明機器
１１  パネル基板
１２  光源部
１３  電源制御基板
１４  調光制御基板
１５  制御部
１６  通信部
１７  記憶部
１７Ａ  照明機器情報管理テーブル
１８  制御部
１８Ａ  照明制御部
１８Ｂ  計測部
１８Ｃ  積算部
２０（２０−１〜２０−ｎ）  バトン装置
３０  ハブ
４０（４０−１〜４０−ｎ）  ノード
５０  操作端末
５１  通信部
５２  記憶部
５２−１  制御情報
５２−２  認証テーブル
５２−２Ａ  送信用認証テーブル
５２−２Ｂ  表示用認証テーブル
５３  表示部
５４  操作部
５５  制御部
５５−１  受信部（収集部、取得部）
５５−２  送信部
５５−３  操作制御部
５５−４  認証部
６０−１〜６０−ｎ  回路
７０  サーバ装置
９０  支援端末
１００  分電盤
【図１】
2018200801.tif 000003
【図２】
2018200801.tif 000004
【図３】
2018200801.tif 000005
【図４】
2018200801.tif 000006
【図５】
2018200801.tif 000007
【図６】
2018200801.tif 000008
【図７】
2018200801.tif 000009